(57)【要約】　　　（修正有）【課題】掛けふとんや、敷ふとんで構成する寝具に温風もしくは冷風を供給して就寝環境をコントロールする、エアーコントロールふとんを、例えば病院や家庭において使用する場合に、長期に使用するとフイルターで除去出来ない超微細ごみや菌が寝具内の通風路に溜り、極めて不衛生である。これ等超微細ごみや細菌を除去出来る様にする。【解決手段】エアーコントロール掛ふとん１や、エアーコントロール敷ふとんの送風口４の一辺をフアスナー６で開口出来る様にして通風路をクリーニング出来る様にすると共に、エアー溜り１３に殺菌剤や消毒剤又は芳香剤を入れるポケツト１２を作り、この薬剤の気化により殺菌するのである。長期に使用しても常に衛生的で健康な睡眠が得られるのである。【選択図】図１
2004000397.tif 000002
【特許請求の範囲】
【請求項１】
掛けふとんや敷ふとんなどで構成する寝具に温風もしくは冷風を供給して就寝環境をコントロールする寝具において、エアーコントロール掛ふとん１、エアーコントロール敷ふとん１６の送風口４の一辺をフアスナー６、６′で開口出来る様にしエアー溜り１３、通風路内側右１４、通風路内側左１４′、通風路外側右１５、通風路外側左１５′、エアーコントロール敷ふとん１６のエアー溜り１３、通風路１８（１）、１８（２）、１８（３）１８（４）、１８（５）、１８（６）をクリーニング出来る様にしたエアーコントロール掛ふとん及びエアーコントロール敷ふとん。
【請求項２】
エアーコントロール掛ふとん、エアコントロール敷ふとんのそれぞれの送風路布５に、ポケツト上布１０、ポケツト下布９を縫合しポケツト１２、１２′を作り殺菌剤や消毒剤、芳香剤等を入れることを特微とした寝具。
【発明の詳細な説明】
【０００１】
［発明の属する技術分野］
本発明者らは、掛ふとん敷ふとんの内部に温風や常温の冷風を送風して、就寝に適した温度、湿度の理想的な環境とするエアーコントロールふとんの思想を発明している。本発明はこのようなエアーコントロール寝具を長期使用すると、通風路内にフイルターで除去出来ない超微細ごみや菌が通風路内に溜り、これ等を除去する発明である。
［従来の技術］
これらの寝具の通風路内の超微細ごみや菌は、そのまゝクリーニングするか、加熱釜で殺菌する方法しかなかった。上記クリーニングでは超微細ごみは除去出来ないので本発明になりました。
［発明が解決しようとする課題］
本発明は通風路内の超微細ごみを除去し又除去するまでの間、超微細ごみについている菌を殺菌することを目的とするものである。
【０００２】
［課題を解結するための手段］
上記目的を達成するため、エアーコントロール掛ふとん１とエアーコントロール敷ふとん１６の、送風口４に面した一辺を図８、図１０の様に開口させ、その端にフアスナー６、（６）′を縫着し開閉自在にすることにより全ての通風路やエアー溜りを直接ブラシでクリーニング出来るし超微細ごみをクリーニングで除去出来る。
【０００３】
エアーコントロール掛ふとん１とエアーコントロール敷ふとん１６の送風路布５にポケツト上布１０、ポケツト下布９を縫合し、ポケツト（イ）１２、ポケツト（ロ）１２′を作りこの中に殺菌剤、消毒剤等人体に悪くないものを入れ、クリーニングまでの使用を衛生的に就寝出来る様にする。その他の使用目的として芳香剤、睡眠促進剤を入れ理想のゆたかな睡眠を得ることが出来る。
この様な手段で課題を解結するのである。
【０００４】
［発明の実施の形態］
以下、本発明のエアーコントロール寝具の衛生維持の方法について、その実施の形態を添付の図面に基づいて説明する。
図１はエアーコントロール掛ふとんに、暖房機がセツトされ、本発明の衛生維持方法がセツトされている正面図である。
【０００５】
図２は図１のＡ〜Ｂ断面図である。
図３は図１のＣ〜Ｄ断面図である。
【０００６】
図４はエアーコントロール敷ふとんに、暖房機がセツトされ、本発明の衛生維持方法がセツトされている正面図である。
【０００７】
図５は図４のＥ〜Ｆの断面図である。
図６は図４のＧ〜Ｈの断面図である。
【０００８】
図１はエアーコントロール掛ふとんに衛生維持方法がセツトされて暖房機で送風されている平面図であり、図４はエアーコントロール敷ふとんに衛生維持方法がセツトされて暖房機で送風されている平面図である。両者の違いは送風路の違いと寸法の違いのみで、衛生維持方法は全く同じである。故にエアーコントロール掛ふとんの衛生維持方法について実施の形態を説明する。
【０００９】
図１の送風路布５を図７で説明する。送風路布５の下辺にポケツト下布９を位置ぎめして置き、その上にポケツト上布１０をのせて、３枚の布をポケツト（イ）１２、ポケツト（ロ）１２′、の出来る様に縫合する。そのやゝ中央に送風口取付布８を縫合するこの際、暖房機２の送風口が入る様な縫合をし、その送風口取付布８にマジツクテープ７を取付ける。送風口を取付た図は図８である。
【００１０】
図８は図７のＩ〜Ｊ断面図である。
図８はフアスナー６を開いた状態を示し、送風通路全てをクリーニング出来ると共に各ポケットに殺菌剤や消毒剤、芳香剤、睡眠促進剤等を入れられる様口を開いた状態を示した図です。
【００１１】
図９はエアーコントロール敷きふとん４の送風路布５に衛生維持のポケツト１２１２′を取付けた図であり図７と実施の形態は全く同じてある。
図１０は図９のＫ−Ｎの断面図で図６の敷ふとん１７を、はずした図で、この様な形態でクリーニニングをするのです。フアスナー６は開いた状態で、その衛生維持の方法は全く同一です。
【００１２】
［発明の効果］
請求項１記載の本発明のエアーコントロール掛ふとん１、及びエアーコントロール敷ふとん４の送風口４の一辺を開口出来る様にして全ての通風路をクリーニング出来る様にした為、この中に溜った超微細なごみや細菌を除去出来る効果が有り極めて清潔衛生的な寝具がえられるのである。
【００１３】
請求項２記載の発明によればエアー溜り１３に、ポケツト１２、１２′をエアーコントロール掛ふとんと、エアーコントロール敷ふとんの内に内蔵させ、このポケツトに人体に無害な殺菌剤や消毒剤を入れ、送風により気化された薬剤が寝具内を常に清潔衛生的にたもち、健康的な睡眠が得られる極めて高い効果がある。又不眠症の人はこのポケツト１２、１２′にアロマテラピー等の芳香剤を入れて使用すれは不眠も解消され多くの人に喜んでいたゞける効果もあり人生１／３の睡眠による健康な生活が得られる効果は絶大である。
【００１４】
【図面の簡単な説明】
【図１】本発明のエアーコントロール掛ふとんの平面図
【図２】図１のＡ−Ｂ断面図
【図３】図１のＣ〜Ｄ断面図
【図４】本発明のエアーコントロール敷ふとんの平面図
【図５】図４のＥ〜Ｆ断面図
【図６】図４のＧ〜Ｈ断面図
【図７】図１の送風路布５に本発明のポケツト１２、１２′を取付た平面図
【図８】本発明のフアスナーを開きエアー溜り１３をクリーニングする状態を示す図
【図９】図４の送風路布５に本発明のポケツト１２、１２′を取付した平面図
【図１０】本発明のフアスナーを開きエアー溜り１３をクリーニングする状態を示す図
【符号の説明】
１…エアーコントロール掛ふとん　　２…暖房機　　３…吸気口　　４…送風口５…送風路布　　６、６′…フアスナー　　７…マジツクテープ　　８…送風口取付布　　９…ポケツト下布　　１０…ポケツト上布　　１１…送風穴　　１２…ポケツト（イ）　　１２′…ポケツト（ロ）　　１３…エアー溜り　　１４…通風路内側右　　１４′…通風路内側左　　１５…通風路外側右　　１５′…通風路外側左　　１６…エアーコントロール敷ふとん　　１７…敷ふとん　　１８（１）…通風路（１）　　１８（２）…通風路（２）　　１８（３）通風路（３）　　１８（４）…通風路（４）　　１８（５）…通風路（５）　　１８（６）…通風路（６）
【図１】
2004000397.tif 000003
【図２】
2004000397.tif 000004
【図３】
2004000397.tif 000005
【図４】
2004000397.tif 000006
【図５】
2004000397.tif 000007
【図６】
2004000397.tif 000008
【図７】
2004000397.tif 000009
【図８】
2004000397.tif 000010
【図９】
2004000397.tif 000011
【図１０】
2004000397.tif 000012